(57)【特許請求の範囲】
【請求項１】
ユーザ情報に関連付けて、機器の機器情報を記憶する機器情報記憶手段と、
前記ユーザ情報に関連付けて、前記機器の仕様上の消費電力を示す消費電力情報を有するユーザ機器電力情報を生成するユーザ機器電力情報生成手段と、
前記ユーザ機器電力情報生成手段にて生成されたユーザ機器電力情報を記憶するユーザ機器電力情報記憶手段と、
ユーザ識別情報に関連付けられた機器を廃棄するための廃棄情報に基づき、前記ユーザ機器電力情報記憶手段で記憶されるユーザ機器電力情報を削除する削除手段と、
前記ユーザ識別情報に係る信号を受信する受信手段と、
前記受信手段にて受信するユーザ識別情報に基づき、前記ユーザ機器電力情報記憶手段にて記憶されるユーザ機器電力情報を出力する出力手段と、
前記機器情報に関連付けされて、前記機器が廃棄された日付を示す廃棄日情報を含む前記廃棄情報を記憶する機器廃棄情報記憶手段と、
前記機器情報に関連付けされて、前記機器についての修理要求を受けた日付を表す受付日を示す情報及び修理後に当該機器を引き渡した日付を表す引渡日を示す情報を含む機器サポート情報を記憶する機器サポート情報記憶手段と、
前記機器について前記機器サポート情報として前記受付日を示す情報が含まれている場合に、前記引渡日に示す情報が前記機器サポート情報に含まれているか否かを判定する手段と、
前記引渡日に示す情報が含まれている場合には、前記機器廃棄情報記憶手段を参照して前記機器に対応する前記廃棄日情報が記憶されているか否かを判定する手段と
を具備し、
前記削除手段は、
前記廃棄日情報が記憶されている場合には、前記ユーザ機器電力情報記憶手段から前記ユーザ機器電力情報を削除するエネルギー管理サーバ装置。
【請求項２】
前記ユーザ情報として、ユーザ識別情報と、当該ユーザ識別情報により特定されるユーザの氏名、性別及び生年月日を示す情報とが関連付けられたユーザ登録情報を記憶するユーザ登録情報記憶手段と、
前記ユーザ情報と、当該ユーザ情報により特定されるユーザが購入した機器の種別、型式、製造番号及びメーカー名を示す機器情報とが関連付けられた購入履歴情報を記憶する購入履歴情報記憶手段と
を備えた請求項１に記載のエネルギー管理サーバ装置。
【請求項３】
エネルギー管理サーバ装置に含まれるコンピュータにより実行されるプログラムであって、
ユーザ情報に関連付けて、機器の機器情報を機器情報記憶手段に記憶させる処理と、
前記ユーザ情報に関連付けて、前記機器の仕様上の消費電力を示す消費電力情報を有するユーザ機器電力情報を生成する処理と、
前記生成されたユーザ機器電力情報をユーザ機器電力情報記憶手段に記憶させる処理と、
ユーザ識別情報に関連付けられた機器を廃棄するための廃棄情報に基づき、前記ユーザ機器電力情報記憶手段で記憶されるユーザ機器電力情報を削除する処理と、
前記ユーザ識別情報に係る信号を受信する処理と、
前記受信するユーザ識別情報に基づき、前記ユーザ機器電力情報記憶手段にて記憶されるユーザ機器電力情報を出力する処理と、
前記機器情報に関連付けされて、前記機器が廃棄された日付を示す廃棄日情報を含む前記廃棄情報を機器廃棄情報記憶手段に記憶させる処理と、
前記機器情報に関連付けされて、前記機器についての修理要求を受けた日付を表す受付日を示す情報及び修理後に当該機器を引き渡した日付を表す引渡日を示す情報を含む機器サポート情報を機器サポート情報記憶手段に記憶させる処理と、
前記機器について前記機器サポート情報として前記受付日を示す情報が含まれている場合に、前記引渡日に示す情報が前記機器サポート情報に含まれているか否かを判定する処理と、
前記引渡日に示す情報が含まれている場合には、前記機器廃棄情報記憶手段を参照して前記機器に対応する前記廃棄日情報が記憶されているか否かを判定する処理と
を前記コンピュータにより実行させ、
前記削除する処理は、
前記廃棄日情報が記憶されている場合には、前記ユーザ機器電力情報記憶手段から前記ユーザ機器電力情報を削除するプログラム。
【請求項４】
前記ユーザ情報として、ユーザ識別情報と、当該ユーザ識別情報により特定されるユーザの氏名、性別及び生年月日を示す情報とが関連付けられたユーザ登録情報をユーザ登録情報記憶手段に記憶させる処理と、
前記ユーザ情報と、当該ユーザ情報により特定されるユーザが購入した機器の種別、型式、製造番号及びメーカー名を示す機器情報とが関連付けられた購入履歴情報を購入履歴情報記憶手段に記憶させる処理と
を前記コンピュータにより実行させる請求項３に記載のプログラム。
【発明の詳細な説明】
【技術分野】
【０００１】
本発明の実施形態は、エネルギー管理サーバ装置及びプログラムに関する。
【背景技術】
【０００２】
宅内に設置された電気機器への供給電力を管理するシステムとして、エネルギー管理システムが知られている。例えば、太陽光発電システムを備えた住宅に対するエネルギー管理システムを導入した場合、太陽光発電システムにより発電される電力量に応じて、電気機器への供給電力を制御することが可能になる。
【０００３】
このようなエネルギー管理システムでは、従来、住宅内に設置された電気機器の構成を予めこのエネルギー管理サーバ装置に登録する必要がある。エネルギー管理サーバ装置は、ユーザの入力操作によって手動で行われる登録作業に基づいて、住宅内に設置された電気機器の構成を登録する。
【先行技術文献】
【特許文献】
【０００４】
【特許文献１】特開２００３−２２４８９２号公報
【特許文献２】特開２００４−３８７６５号公報
【特許文献３】特開２０１０−２０４８３３号公報
【発明の概要】
【発明が解決しようとする課題】
【０００５】
しかしながら、以上のような従来のエネルギー管理サーバ装置では、設置された電気機器の台数が多い場合は、この登録作業はユーザにとって大変負担が大きいという不都合があった。
【０００６】
本発明が解決しようとする課題は、設置されたユーザの電気機器の登録においてユーザの負担を軽減し得るエネルギー管理サーバ装置及びプログラムを提供する。
【課題を解決するための手段】
【０００７】
実施形態のエネルギー管理サーバ装置は、ユーザ情報に関連付けて、機器の機器情報を記憶する機器情報記憶手段と、前記ユーザ情報に関連付けて、前記機器の仕様上の消費電力を示す消費電力情報を有するユーザ機器電力情報を生成するユーザ機器電力情報生成手段と、前記ユーザ機器電力情報生成手段にて生成されたユーザ機器電力情報を記憶するユーザ機器電力情報記憶手段と、ユーザ識別情報に関連付けられた機器を廃棄するための廃棄情報に基づき、前記ユーザ機器電力情報記憶手段で記憶されるユーザ機器電力情報を削除する削除手段と、前記ユーザ識別情報に係る信号を受信する受信手段と、前記受信手段にて受信するユーザ識別情報に基づき、前記ユーザ機器電力情報記憶手段にて記憶されるユーザ機器電力情報を出力する出力手段と、前記機器情報に関連付けされて、前記機器が廃棄された日付を示す廃棄日情報を含む前記廃棄情報を記憶する機器廃棄情報記憶手段と、前記機器情報に関連付けされて、前記機器についての修理要求を受けた日付を表す受付日を示す情報及び修理後に当該機器を引き渡した日付を表す引渡日を示す情報を含む機器サポート情報を記憶する機器サポート情報記憶手段と、前記機器について前記機器サポート情報として前記受付日を示す情報が含まれている場合に、前記引渡日に示す情報が前記機器サポート情報に含まれているか否かを判定する手段と、前記引渡日に示す情報が含まれている場合には、前記機器廃棄情報記憶手段を参照して前記機器に対応する前記廃棄日情報が記憶されているか否かを判定する手段とを具備し、前記削除手段は、前記廃棄日情報が記憶されている場合には、前記ユーザ機器電力情報記憶手段から前記ユーザ機器電力情報を削除する構成である。
【図面の簡単な説明】
【００１１】
【図１】一実施形態に係るエネルギー管理システムの構成例を示す模式図である。
【図２】同実施形態に係るセンタシステム内の購入履歴情報記憶部に記憶される購入履歴情報の構成例を示す模式図である。
【図３】同実施形態に係るセンタシステム内の機器サポート情報記憶部に記憶される機器サポート情報の構成例を示す模式図である。
【図４】同実施形態に係るセンタシステム内の機器消費電力情報記憶部に記憶される機器仕様情報の構成例を示す模式図である。
【図５】同実施形態に係るセンタシステム内の機器廃棄情報記憶部に記憶される機器廃棄情報の構成例を示す模式図である。
【図６】同実施形態に係るサーバ装置の構成例を示す模式図である。
【図７】同実施形態に係るサーバ装置内のユーザ登録情報記憶部に記憶されるユーザ登録情報の構成例を示す模式図である。
【図８】同実施形態に係るサーバ装置内のユーザ機器電力情報記憶部に記憶されるユーザ機器電力情報の構成例を示す模式図である。
【図９】同実施形態に係るサーバ装置の動作の一例を示すフローチャートである。
【図１０】同実施形態に係るサーバ装置の動作の一例を示すシーケンス図である。
【図１１】同実施形態に係るサーバ装置内のユーザ機器電力情報記憶部に記憶されるユーザ機器電力情報の構成例を示す模式図である。
【図１２】同実施形態に係るユーザ端末に表示されるユーザ機器電力情報修正画面の一例を示す模式図である。
【発明を実施するための形態】
【００１２】
以下、一実施形態について図面を参照して説明する。なお、以下のエネルギー管理サーバ装置は、ハードウェア構成、又はハードウェア資源とソフトウェアとの組合せ構成のいずれでも実施可能となっている。組合せ構成のソフトウェアとしては、予めネットワーク又は記憶媒体からコンピュータにインストールされ、エネルギー管理サーバ装置の機能を当該コンピュータに実現させるためのプログラムが用いられる。
【００１３】
図１は、一実施形態に係るエネルギー管理サーバ装置を含むエネルギー管理システムの構成例を示す模式図であって、図２〜図５は、同実施形態に係るエネルギー管理システムに含まれるセンタシステム内の複数の記憶部に記憶される情報の構成例を示す模式図である。エネルギー管理システム（EMS: Energy Management System）１は、ユーザ端末１０とこのユーザ端末１０がネットワーク２０を介して通信可能なセンタシステム３０とを備えている。
【００１４】
なお、本実施形態では、センタシステム３０がクラウド事業者により管理される場合について説明する。
【００１５】
ユーザ端末１０は、ユーザの操作に応じて（例えば、ユーザ端末１０内に予めインストールされたアプリケーションを起動すると）、センタシステム３０の利用者を特定するためのユーザ識別情報（換言すると、顧客識別情報）に係る信号をセンタシステム３０内のエネルギー管理サーバ装置（以下、単にサーバ装置と表記）３５に送信する。また、ユーザ端末１０は、送信した信号に係るユーザ識別情報と、当該ユーザ識別情報に関連付けられた機器情報と、当該機器情報によって特定される機器の消費電力を示す消費電力情報とが関連付けられたユーザ機器電力情報であって、ユーザに係るユーザ機器の消費電力を示す当該ユーザ機器電力情報をセンタシステム３０内のサーバ装置３５から受信する。更に、ユーザ端末１０は、受信したユーザ機器電力情報を表示部（図示せず）に表示する。
【００１６】
なお、ユーザ端末１０には、例えば、携帯電話、スマートフォン、タブレット端末及びパーソナルコンピュータ（PC: Personal Computer）等の機器が適用可能である。また、本実施形態では、ユーザ識別情報が所定のコード（例えば、ｉｄ０１，ｉｄ０２等）を示すとしたが、これに限定されず、例えば、電話番号や住所等、ユーザを特定可能な情報であれば適宜適用可能である。
【００１７】
センタシステム３０は、購入履歴情報記憶部３１、機器消費電力情報記憶部３２、機器サポート情報記憶部３３、機器廃棄情報記憶部３４及びサーバ装置３５を備えている。
【００１８】
なお、センタシステム３０内の各記憶部３１〜３４は、各記憶部３１〜３４を管理する管理者と、管理者に情報を提供する情報提供者（すなわち、センタシステム３０の利用者）と、センタシステム３０を管理するクラウド事業者との同意が得られた上で、サーバ装置３５によって読出可能なデータベースである。
【００１９】
購入履歴情報記憶部３１は、サーバ装置３５によって読出可能なデータベースであり、図２に示す如き、購入履歴情報Ａ１〜Ａ３を記憶している。購入履歴情報は、ユーザ情報と機器情報とが関連付けられた情報である。ユーザ情報は、機器を購入したユーザの氏名、性別及び生年月日を示す情報である。また、機器情報は、ユーザ情報によって特定されるユーザが購入した機器の種別、型式及び製造番号とこの機器を製造しているメーカー名とを示す情報である。
【００２０】
なお、購入履歴情報記憶部３１は、例えば、機器販売店（例えば、家電量販店やインターネットショッピングサイト）等によって管理されるデータベースである。
【００２１】
機器サポート情報記憶部３２は、サーバ装置３５によって読出可能なデータベースであり、図３に示す如き、機器サポート情報Ｂ１，Ｂ２を記憶している。機器サポート情報は、ユーザ情報と、機器情報と、サポート情報とが関連付けられた情報である。サポート情報は、ユーザ情報によって特定されるユーザから機器情報によって特定される機器についてのサポート要求（例えば、電話応対による機器の操作についての質問等）を受けた日付を表すサポート日と、当該ユーザから当該機器を修理するための修理要求を受けた日付を表す受付日と、当該機器を修理した後に、当該ユーザに当該機器を引き渡した日付を表す引渡日とを示す情報である。
【００２２】
なお、機器サポート情報記憶部３２は、例えば、機器販売店やメーカーのユーザサポートセンター等によって管理されるデータベースである。
【００２３】
機器消費電力情報記憶部３３は、サーバ装置３５によって読出可能なデータベースであり、図４に示す如き、機器消費電力情報Ｃ１〜Ｃ４を記憶している。機器消費電力情報は、機器情報と消費電力情報とが関連付けられた情報である。消費電力情報は、機器情報によって特定される機器の仕様上の消費電力を示す情報である。
【００２４】
なお、機器消費電力情報記憶部３３は、例えば、メーカーの製品開発センタ等によって管理されるデータベースである。また、本実施形態では、機器消費電力情報は、機器情報と消費電力情報とが関連付けられた情報であるが、これに限定されず、例えば、機器情報と消費電力情報との他に、消費電力以外の機器の仕様を示す仕様情報が更に関連付けられた情報であってもよい。
【００２５】
機器廃棄情報記憶部３４は、サーバ装置３５によって読出可能なデータベースであり、図５に示す如き、機器廃棄情報Ｄ１を記憶している。機器廃棄情報は、ユーザ情報と、機器情報と、廃棄日情報とが関連付けられた情報である。廃棄日情報は、ユーザ情報によって特定されるユーザから機器情報によって特定される機器を廃棄するための廃棄要求を受けた日付（すなわち、機器が廃棄された日付）を示す情報である。
【００２６】
なお、機器廃棄情報記憶部３４は、例えば、廃品回収業者や地方自治体のリサイクルセンタ等によって管理されるデータベースである。
【００２７】
ここで、サーバ装置３５について説明する。
【００２８】
図６は、同実施形態に係るサーバ装置の構成例を示す模式図であり、図７は、同実施形態に係るサーバ装置内のユーザ登録情報記憶部に記憶されるユーザ登録情報の構成例を示す模式図であって、図８は、同実施形態に係るサーバ装置内のユーザ機器電力情報記憶部に記憶されるユーザ機器電力情報の構成例を示す模式図である。
【００２９】
サーバ装置３５は、図６に示すように、ユーザ登録情報記憶部３５１、ユーザ機器電力情報記憶部３５２、制御プログラム記憶部３５３、コネクタ部３５４、ネットワーク通信部３５５及びサーバ制御部３５６を備えている。
【００３０】
ユーザ登録情報記憶部３５１は、サーバ制御部３５６によって読出／書込可能なデータベースであり、図７に示す如き、ユーザ登録情報Ｍ１〜Ｍ３を記憶している。ユーザ登録情報は、ユーザ識別情報とユーザ情報とが関連付けられた情報である。
【００３１】
ユーザ機器電力情報記憶部３５２は、サーバ制御部３５６によって読出／書込可能なデータベースであり、図８に示す如き、ユーザ機器電力情報Ｎ１，Ｎ２を記憶している。ユーザ機器電力情報は、ユーザ識別情報、機器情報及び消費電力情報が関連付けられた情報であり、かつ後述するサーバ制御部３５６での処理結果を示す情報である。
【００３２】
制御プログラム記憶部３５３は、サーバ制御部３５６を動作させるための動作プログラムを記憶している。
【００３３】
コネクタ部３５４には、ユーザ端末１０がネットワーク２０を介して接続するためのネットワークケーブルを接続する。
【００３４】
ネットワーク通信部３５５は、ユーザ端末１０から送信されるユーザ識別情報に係る信号を受信し、当該受信した信号をサーバ制御部３５６に出力する。
【００３５】
サーバ制御部３５６は、ネットワーク通信部３５５から出力される信号を受信し、当該受信した信号に基づき、購入履歴情報と機器サポート情報とに含まれる機器情報を特定する。具体的には、サーバ制御部３５６は、ネットワーク通信部３５５から出力される信号を受信し、当該受信した信号に係るユーザ識別情報に一致するユーザ識別情報を含むユーザ登録情報をユーザ登録情報記憶部３５１から読出す。サーバ制御部３５６は、ユーザ登録情報記憶部３５１から読み出したユーザ登録情報内のユーザ情報に一致するユーザ情報を含む購入履歴情報と機器サポート情報とを購入履歴情報記憶部３１と機器サポート情報記憶部３２とからそれぞれ読出す。
【００３６】
サーバ制御部３５６は、特定した機器情報に基づき、機器消費電力情報に含まれる消費電力情報を特定する。具体的には、サーバ制御部３５６は、購入履歴情報記憶部３１から読み出した購入履歴情報内の機器情報に一致する機器情報を含む機器消費電力情報を機器消費電力情報記憶部３３から読出す。また、サーバ制御部３５６は、機器サポート情報記憶部３２から読み出した機器サポート情報内の機器情報に一致する機器情報を含む機器消費電力情報を機器消費電力情報記憶部３３から読出す。
【００３７】
サーバ制御部３５６は、受信した信号に係るユーザ識別情報と、購入履歴情報記憶部３１から読み出した購入履歴情報内の機器情報と、機器消費電力情報記憶部３３から読み出した機器消費電力情報内の消費電力情報とに基づいて、当該ユーザ識別情報、当該機器情報及び当該消費電力情報とが関連付けられたユーザ機器電力情報を生成する。ユーザ機器電力情報は、ユーザ登録情報記憶部３５１から読み出したユーザ登録情報内のユーザ情報により特定されるユーザの家内に設置されていると推定される電気機器を示す情報である。また、サーバ制御部３５６は、機器サポート情報記憶部３２から読み出した機器サポート情報内の機器情報と、機器消費電力情報記憶部３３から読み出した機器消費電力情報内の消費電力情報とに基づいてユーザ機器電力情報を生成する。更に、サーバ制御部３５６は、当該生成したユーザ機器電力情報をユーザ機器電力情報記憶部３５２に書込む（登録する）。
【００３８】
サーバ制御部３５６は、機器サポート情報記憶部３２から読み出した機器サポート情報内のサポート情報により示される受付日に日付が入力されているか否かを判定する。また、上記判定の結果が入力されている旨を示すとき、サーバ制御部３５６は、当該機器サポート情報内のサポート情報により示される引渡日に日付が入力されているか否かを判定する。更に、上記判定の結果が否を示すとき、サーバ制御部３５６は、ユーザ機器電力情報記憶部３５２に登録したユーザ機器電力情報のうち、当該機器サポート情報内の機器情報に一致する機器情報を含むユーザ機器電力情報をユーザ機器電力情報記憶部３５２から削除する。
【００３９】
サーバ制御部３５６は、ユーザ登録情報記憶部３５１から読み出したユーザ登録情報内のユーザ情報に一致するユーザ情報を含む機器廃棄情報が機器廃棄情報記憶部３４に含まれているか否かを検出する。また、上記検出の結果が含まれている旨を示すとき、サーバ制御部３５６は、ユーザ機器電力情報記憶部３５２に登録したユーザ機器電力情報のうち、当該検出した機器廃棄情報内の機器情報に一致する機器情報を含むユーザ機器電力情報をユーザ機器電力情報記憶部３５２から削除する。
【００４０】
サーバ制御部３５６は、ユーザ機器電力情報記憶部３５２に登録したユーザ機器電力情報をネットワーク通信部３５５に出力する。なお、ネットワーク通信部３５５は、サーバ制御部３５６から出力されるユーザ機器電力情報を受信し、当該受信したユーザ機器電力情報をユーザ端末１０に送信する。
【００４１】
次に、以上のように構成されたサーバ装置の動作の一例を、図２〜図５，図７，８の模式図と、図９のフローチャートと、図１０のシーケンス図とを参照しながら説明する。
【００４２】
但し、本動作例では、ユーザ識別情報「ｉｄ０１」に係る信号が、ユーザ端末１０からセンタシステム３０内のサーバ装置３５に送信されたものとする。
【００４３】
始めに、ネットワーク通信部３５５は、ユーザ端末１０から送信されたユーザ識別情報「ｉｄ０１」に係る信号を受信し、当該受信した信号をサーバ制御部３５６に出力する（ステップＳ１）。
【００４４】
続いて、サーバ制御部３５６は、ネットワーク通信部３５５から出力された信号を受信し、当該受信した信号に基づいてユーザ識別情報「ｉｄ０１」に一致するユーザ識別情報を含むユーザ登録情報Ｍ１をユーザ登録情報記憶部３５１から読出す（ステップＳ２）。
【００４５】
次に、サーバ制御部３５６は、ユーザ登録情報記憶部３５１から読み出したユーザ登録情報Ｍ１内のユーザ情報により示される氏名「○○」、性別「男性」及び生年月日「****/**/**」に一致するユーザ情報を含む購入履歴情報Ａ１を購入履歴情報記憶部３１から読出す。同様に、サーバ制御部３５６は、ユーザ登録情報Ｍ１内のユーザ情報により示される氏名「○○」、性別「男性」及び生年月日「****/**/**」に一致するユーザ情報を含む機器サポート情報Ｂ１を機器サポート情報記憶部３２から読出す（ステップＳ３）。
【００４６】
なお、サーバ制御部３５６により読み出された購入履歴情報内のユーザ情報及び機器情報と、サーバ制御部３５６により読み出された機器サポート情報内のユーザ情報及び機器情報とが一致する場合、サーバ制御部３５６は、購入履歴情報記憶部３１から読み出した購入履歴情報を、後述する処理において用いるものとする。
【００４７】
続いて、サーバ制御部３５６は、購入履歴情報記憶部３１から読み出した購入履歴情報Ａ１内の機器情報により示される種別「冷蔵庫」、型式「***」、製造番号「１２３４５６」及びメーカー名「Ａ社」に一致する機器情報を含む機器消費電力情報Ｃ１を機器消費電力情報記憶部３３から読出す。同様に、サーバ制御部３５６は、機器サポート情報記憶部３２から読み出した機器サポート情報Ｂ１内の機器情報により示される種別「洗濯機」、型式「###」、製造番号「４５６７８９」及びメーカー名「Ａ社」に一致する機器情報を含む機器消費電力情報Ｃ４を機器消費電力情報記憶部３３から読出す（ステップＳ４）。
【００４８】
次に、サーバ制御部３５６は、受信した信号に係るユーザ識別情報「ｉｄ０１」と、購入履歴情報記憶部３１から読み出した購入履歴情報Ａ１内の機器情報と、機器消費電力情報記憶部３３から読み出した機器消費電力情報Ｃ１内の消費電力情報とに基づいて、当該ユーザ識別情報、当該機器情報及び当該消費電力情報とが関連付けられたユーザ機器電力情報Ｎ１を生成する。同様に、サーバ制御部３５６は、受信した信号に係るユーザ識別情報「ｉｄ０１」と、機器サポート情報記憶部３２から読み出した機器サポート情報Ｂ１内の機器情報と、機器消費電力情報記憶部３３から読み出した機器消費電力情報Ｃ４内の消費電力情報とに基づいてユーザ機器電力情報Ｎ２を生成する（ステップＳ５）。
【００４９】
なお、サーバ制御部３５６はユーザ機器電力情報Ｎ１，Ｎ２を生成すると、当該生成したユーザ機器電力情報Ｎ１，Ｎ２をユーザ機器電力情報記憶部３５２に書込む（登録する）。
【００５０】
続いて、サーバ制御部３５６は、機器サポート情報記憶部３２から読み出した機器サポート情報Ｂ１内のサポート情報により示される受付日に日付が入力されているか否か（すなわち、受付日が「−」でないか否か）を判定する（ステップＳ６）。なお、ステップＳ６の判定の結果が否を示す場合（ステップＳ６：「Ｎｏ」）には、後述するステップＳ９の処理に進む。
【００５１】
ステップＳ６の判定の結果が入力されている旨を示す場合（ステップＳ６：「Ｙｅｓ」）には、サーバ制御部３５６は、当該機器サポート情報Ｂ１内のサポート情報により示される引渡日に日付が入力されているか否か（すなわち、引渡日が「−」でないか否か）を判定する（ステップＳ７）。なお、ステップＳ７の判定の結果が入力されている旨を示す場合（ステップＳ７：「Ｙｅｓ」）には、後述するステップＳ９の処理に進む。
【００５２】
ステップＳ７の判定の結果が否を示す場合（ステップＳ７：「Ｎｏ」）には、サーバ制御部３５６は、ユーザ機器電力情報記憶部３５２に登録されたユーザ機器電力情報Ｎ１，Ｎ２のうち、機器サポート情報Ｂ１内の機器情報により示される種別「洗濯機」、型式「###」、製造番号「４５６７８９」及びメーカー名「Ａ社」に一致する機器情報を含むユーザ機器電力情報Ｎ２をユーザ機器電力情報記憶部３５２から削除する（ステップＳ８）。
【００５３】
次に、サーバ制御部３５６は、ユーザ登録情報記憶部３５１から読み出したユーザ登録情報Ｍ１内の顧客情報により示される氏名「○○」、性別「男性」及び生年月日「****/**/**」に一致するユーザ情報を含む機器廃棄情報が機器廃棄情報記憶部３４に含まれているか否かを判定（検出）する（ステップＳ９）。なお、ステップＳ９の判定の結果が否を示す場合（ステップＳ９：「Ｎｏ」）には、後述するステップＳ１１の処理に進む。
【００５４】
例えば、機器廃棄情報記憶部３４が、図５に示すように、氏名「△△」、性別「女性」及び生年月日「++++/++/++」を示すユーザ情報を含む機器廃棄情報Ｄ１のみを記憶している場合、サーバ制御部３５６はユーザ登録情報Ｍ１内のユーザ情報に一致するユーザ情報を含む機器廃棄情報が機器廃棄情報記憶部３４に含まれていないと判定し、後述するステップＳ１１の処理に進む。
【００５５】
ステップＳ９の判定の結果が含まれている旨を示す場合（ステップＳ９：「Ｙｅｓ」）には、サーバ制御部３５６は、ユーザ機器電力情報記憶部３５２に登録されたユーザ機器電力情報のうち、当該検出された機器廃棄情報内の機器情報に一致する機器情報を含むユーザ機器電力情報をユーザ機器電力情報記憶部３５２から削除する（ステップＳ１０）。
【００５６】
続いて、サーバ制御部３５６は、ユーザ機器電力情報記憶部３５２に登録されたユーザ機器電力情報Ｎ１をネットワーク通信部３５５に出力する（ステップＳ１１）。
【００５７】
しかる後に、ネットワーク通信部３５５は、サーバ制御部３５６から出力されたユーザ機器電力情報を受信し、当該受信したユーザ機器電力情報Ｎ１をユーザ端末１０に送信する（ステップＳ１２）。
【００５８】
なお、本動作例では、各記憶部３１〜３４，３５１に記憶された情報が、図２〜図５，図７に示す情報であると仮定した場合について説明したため、ユーザ機器電力情報Ｎ１のみがユーザ機器電力情報記憶部３５２に登録される結果となるが、通常、各記憶部３１〜３４，３５１には多数の情報が記憶されているため、ステップＳ１〜Ｓ１２の処理が実行されると、例えば図１１に示すように、複数のユーザ機器電力情報がユーザ機器電力情報記憶部３５２に登録される結果になる。
【００５９】
また、上記ステップＳ１〜Ｓ１２の処理が実行されると、ユーザ端末１０は、サーバ装置３５内のネットワーク通信部３５５から送信されたユーザ機器電力情報を受信し、当該受信したユーザ機器電力情報を表示部（図示せず）に表示する。また、ユーザ端末１０は、ユーザの操作に応じて、当該受信したユーザ機器電力情報に対しての修正処理を実行する。具体的には、ユーザ端末１０は、ユーザの操作に応じて、図１２（ａ）〜図１２（ｄ）に示すように、ユーザ機器電力情報を修正するためのユーザ機器電力情報修正画面を表示し、当該表示したユーザ機器電力情報修正画面内のチェックボックスに示されるチェックマークの有無を変更することによりユーザ機器電力情報を修正する。ユーザ端末１０は、当該受信したユーザ機器電力情報に対しての修正処理を実行すると、当該修正したユーザ機器電力情報をセンタシステム３０内のサーバ装置３５に送信する。
【００６０】
サーバ装置３５内のネットワーク通信部３５５は、ユーザ端末１０から送信された修正後のユーザ機器電力情報を受信すると、当該受信した修正後のユーザ機器電力情報をサーバ制御部３５６に出力する。サーバ制御部３５６は、ネットワーク通信部３５５から出力された修正後のユーザ機器電力情報を受信すると、当該受信した修正後のユーザ機器電力情報をユーザ機器電力情報記憶部３５２に書込む（再登録する）。
【００６１】
なお、サーバ装置３５は、ユーザ機器電力情報記憶部３５２に登録されたユーザ機器電力情報に基づいて、所定の動作を実行する。例えば、サーバ装置３５は、電力会社からの節電要請等があった際に、ユーザ機器電力情報記憶部３５２に登録されたユーザ機器電力情報に基づいて、ユーザの宅内に設置された機器のうち、消費電力の大きい機器を検索する検索処理を実行し、当該検索処理の結果として読出された機器の電源をオフにする要請をユーザ端末１０に送信する。
【００６２】
また、他の例として、サーバ装置３５が図示しないユーザ機器の電力管理をしている場合は、電力会社からの節電要請等があった際に、ユーザ機器電力情報記憶部３５２に登録されたユーザ機器電力情報に基づいて、ユーザの宅内に設置された機器のうち、消費電力の大きい機器を検索する検索処理を実行し、当該検索処理の結果として読出された機器について、通常状態からより消費電力を抑える節電モードに切り替えるようユーザ機器に制御信号を送信することで、この制御信号を受けたユーザ機器での電力消費を抑えるよう制御する。
【００６３】
なお、ユーザ機器電力情報記憶部３５２に登録されたユーザ機器電力情報を用いたサーバ装置３５の所定の動作の一例について説明したが、サーバ装置３５の動作は、上記動作に限定されるものでない。
【００６４】
また、本実施形態では、各記憶部３１〜３４とサーバ装置３５とが、クラウド事業者により管理されるセンタシステム３０内に設けられた場合について説明したが、これに限定されず、例えば、サーバ装置３５が宅内に設けられてもよい。この場合、サーバ装置３５は、ユーザ識別情報に係る信号を受信すると、当該受信した信号に基づいて各記憶部３１〜３４からネットワークを介して適宜情報を読出した後に、当該読出した情報を用いてユーザ機器電力情報を生成し、当該生成したユーザ機器電力情報をユーザ機器電力情報記憶部３５２に登録する。
【００６５】
以上説明した一実施形態によれば、センタシステム３０内の各記憶部３１〜３４に記憶された情報を適宜読出した後に、当該読み出した情報を用いて、ユーザ識別情報、機器情報及び消費電力情報が関連付けられたユーザ機器電力情報を生成し、当該生成したユーザ機器電力情報をユーザ機器電力情報記憶部３５２に登録するサーバ装置３５を備えた構成により、設置された電気機器の登録においてユーザの負担を軽減することができる。
【００６６】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１…エネルギー管理システム、１０…ユーザ端末、２０…ネットワーク、３０…センタシステム、３１…購入履歴情報記憶部、３２…機器サポート情報記憶部、３３…機器消費電力情報記憶部、３４…機器廃棄情報記憶部、３５…エネルギー管理サーバ装置、３５１…ユーザ登録情報記憶部、３５２…ユーザ機器電力情報記憶部、３５３…制御プログラム記憶部、３５４…コネクタ部、３５５…ネットワーク通信部、３５６…サーバ制御部、Ａ１〜Ａ３…購入履歴情報、Ｂ１，Ｂ２…機器サポート情報、Ｃ１〜Ｃ４…機器消費電力情報、Ｄ１…機器廃棄情報、Ｍ１〜Ｍ３…ユーザ登録情報、Ｎ１，Ｎ２…ユーザ機器電力情報。
【図１】
0005780945.tif 000002
【図２】
0005780945.tif 000003
【図３】
0005780945.tif 000004
【図４】
0005780945.tif 000005
【図５】
0005780945.tif 000006
【図６】
0005780945.tif 000007
【図７】
0005780945.tif 000008
【図８】
0005780945.tif 000009
【図９】
0005780945.tif 000010
【図１０】
0005780945.tif 000011
【図１１】
0005780945.tif 000012
【図１２】
0005780945.tif 000013